(57)【要約】      （修正有）【課題】任意数量のブロック本体を任意の角度で制限なく連接結合でき、幼児の創造性を高めながら楽しく遊べる組合せブロック玩具を提供する。【解決手段】１つ又は複数の突起挿入孔を有するブロック本体の周囲に多角柱体からなる複数の突起を一体的に設けたブロックユニットを、任意の数量を相互に任意角度で嵌着自在に構成したことを特徴とし、複数のブロック本体に設けた突起間が突起嵌着凹部としての機能を有するように構成されたことを特徴とし、且つ、ブロック本体に一体的に形成された突起が多角柱体に形成され、該突起がブロック本体の複数の突起挿入孔に挿入され、又は突起嵌着凹部に嵌着自在に嵌着され、任意数量のブロックユニットを連接結合できるように構成したことを特徴とする。【選択図】図１
0003153111.tif 000002
【実用新案登録請求の範囲】
【請求項１】
１つ又は複数の突起挿入孔を有するブロック本体の周囲に多角柱体からなる複数の突起を一体的に設けたブロックユニットを、任意の数量を相互に任意角度で嵌着自在に構成したことを特徴とする組合せブロック玩具。
【請求項２】
複数のブロック本体に設けた突起間が突起嵌着凹部としての機能を有するように構成されたことを特徴とする請求項１記載の組合せブロック玩具。
【請求項３】
ブロック本体に一体的に形成された突起が多角柱体に形成され、該突起がブロック本体の複数の突起挿入孔に挿入され、又は突起嵌着凹部に嵌着自在に嵌着され、任意数量のブロックユニットを連接結合できるように構成したことを特徴とする請求項１記載の組合せブロック玩具。
【考案の詳細な説明】
【技術分野】
【０００１】  本考案は組合せブロック玩具に関し、特に任意数量のブロック本体を任意の角度で制限なく連接結合できる玩具を提供し、幼児が創造性を高めながら楽しく遊ぶことのできる組合せブロック玩具に関する。
【背景技術】
【０００２】  幼児用のブロック玩具は種々のものが考案されて市場で販売されている。従来、このようなブロック玩具は、一般的にブロック同士を合体させるための凹部と凸部が形成されており、連接する方向もその構造から一定方向に規制されるものであった。
【先行技術文献】
【０００３】
【特許文献１】  特開２００５−５８４３７号公報
【特許文献２】  特開平９−５６９３６号公報
【特許文献２】  特開２００３−１１１９８３号公報
【考案の概要】
【考案が解決しようとする課題】
【０００４】  引用文献１の特開２００５−５８４３７号公報では、全体が弾性及び柔軟性を有する素材で形成され、突起部と受孔の嵌合によって連結及び分解が可能な組立て用ブロック玩具であるが、突起部と受孔の嵌合方向が規制される構造である。【０００５】  引用文献２の特開平９−５６９３６号公報では、熱可塑性プラスチック板状発砲体の外面に接合されたプラスチックフィルムに印刷像が形成され、印刷像は熱変色性インキで形成されているので文字や印刷像を視認でき、幼児の知育や遊びに提供するために平面的に使用するものである。【０００６】  また、引用文献３の特開２００３−１１１９８３号公報では、ブロック内部に磁石と磁性金属とを収納したものであり、あらゆる形状のブロック同士をすべての面で合体できるものであったが製造方法の手間もかかり製造コストも高い等の問題があった。
【課題を解決するための手段】
【０００７】  このような課題を解決するために鋭意研究の結果本考案の組合せブロック玩具は、１つ又は複数の突起挿入孔を有するブロック本体の周囲に多角柱体からなる複数の突起を一体的に設けたブロックユニットを、任意の数量を相互に任意角度で嵌着自在に構成し、複数のブロック本体に設けた突起間が突起嵌着凹部としての機能を有するように構成し、且つブロック本体に一体的に形成された突起が多角柱体に形成され、該突起がブロック本体の複数の突起挿入孔に挿入され、又は突起嵌着凹部に嵌着自在に嵌着され、任意数量のブロックを連接結合できるように構成した組合せブロック玩具を提供するものである。
【考案の効果】
【０００８】  以上説明したような構成であるので、本考案の組合せブロック玩具は、組合せ方向を工夫しながら利用すれば、任意の構造を形成することができ、幼児の創造性の知育や遊びに提供して効果的である。
【図面の簡単な説明】
【０００９】
【図１】  本考案を構成するブロックユニットの斜視図である。
【図２】  本考案を構成するブロックユニットの正面図である。
【図３】  本考案を構成するブロックユニットの平面図である。
【図４】  本考案を構成するブロックユニットの連結例を示す説明図である。
【図５】  本考案を構成するブロックユニットの連結例を示す説明図である。
【図６】  本考案を構成するブロックユニットの連結例を示す説明図である。
【図７】  本考案を構成するブロックユニットの連結例を示す説明図である。
【図８】  本考案を構成するブロックユニットの他の実施例を示す平面図である。
【図９】  本考案を構成するブロックユニットの連結例を示す説明図である。
【図１０】  本考案を構成するブロックユニットの他の実施例を示す平面図である。
【図１１】  連結補助ブロックの平面図である。
【図１２】  本考案を構成するブロックユニットの連結例を示す説明図である。
【考案を実施するための最良の形態】
【００１０】  以下、図面に基づいて、本考案を実施するための最良の形態を具体的に説明する。
図面に於いて、図１は本考案を構成するブロックユニットの斜視図である。図２は本考案を構成するブロックユニットの正面図である。図３は本考案を構成するブロックユニットの平面図である。図４は本考案を構成するブロックユニットの連結例を示す説明図である。図５は本考案を構成するブロックユニットの連結例を示す説明図である。図６は本考案を構成するブロックユニットの連結例を示す説明図である。図７は本考案を構成するブロックユニットの連結例を示す説明図である。図８は本考案を構成するブロックユニットの他の実施例を示す平面図である。図９は本考案を構成するブロックユニットの連結例を示す説明図である。図１０は本考案を構成するブロックユニットの他の実施例を示す平面図である。図１１は連結補助ブロックの平面図である。図１２は本考案を構成するブロックユニットの連結例を示す説明図である。【００１１】  図１乃至図３に示すように、本考案の組合せブロック玩具を構成するブロックユニット１０は、１つ又は複数の突起挿入孔３を有するブロック本体２の周囲に、多角柱体からなる複数の突起４を一体的に設けた構成となっている。
実施例図面では、ブロック本体２の平面部が正方形であって、突起挿入孔３は一ヶ所だけ描かれているが、ブロック本体２の形状を長方形に変更すれば複数の突起挿入孔３を設けることができる。
また、ブロック本体２の形状は、図８乃至図９に示すように三角形であっても良く、その他の形状としては多角形、円形、楕円形、ハート形等の形状でも良い。【００１２】  また、ブロック本体２に一体的に形成された複数の突起４は図１に示すように多角柱体に形成されており、突起４は突起挿入孔に挿入されると共に、突起間に形成された突起嵌着凹部５にも嵌着される。【００１３】  これらの挿入または嵌着によって、任意数量のブロックユニットを制限なく連接結合することができる。【００１４】  図４では、ブロックユニット１０とブロックユニット２０とが平面上で結合された例を示しており、図５ではブロックユニット１０とブロックユニット２０とが直角状態で結合された状態を示している。【００１５】  図６では、突起挿入孔３に対して、突起４が傾斜して挿入された例を示している。
この場合、角柱側面４１乃至４８のうち、角柱側面４４と角柱側面４８とが突起挿入孔３の上面と下面にそれぞれ当接されており、角柱側面４２と角柱側面４６とが突起挿入孔３の両側面にそれぞれ当接されている。【００１６】  図７では、嵌着凹部５に対して、突起４が傾斜して挿入された例を示している。
この場合、角柱側面４１乃至４８のうち、角柱側面４４と角柱側面４８とが嵌着凹部５の両側面に当接されて嵌着されている。【００１７】  図８乃至図９では、ブロック本体２が三角形の場合を示しているが、前述したようにブロック本体２の形状は任意に作ることができる。【００１８】  図９では、ブロックユニット３０とブロックユニット４０とが平面上で結合された例を示しているが、前述の実施例でも明らかなように、直角または角度を変えて結合することができる。【００１９】このように複数のブロック本体２に設けた突起間が突起嵌着凹部５としての機能も有するので、ブロックユニット１０，２０，３０，４０等の任意の数量を相互に任意角度で連接結合することができる。【００２０】  任意角度で連接結合できるのは突起４が多角柱体に形成され、挿入または嵌着される時に挿入孔３または嵌着凹部に対して角度を変えて挿入または嵌着することができ、また、角度変更は突起４を円柱にずれば完全に任意角度に調整できる。【００２１】  しかしながら、突起２を円柱でなく多角柱体に形成した理由は、挿入または嵌着した時に、突起２の挿入または嵌着状態の納まりが良いからである。【００２２】  なお、図１０では、ブロック本体２が三角形であって、突起の数を図８より少なくしてあるが、突起４の数も任意に作ることができる。【００２３】  図１１は連結補助ブロック６０であって異なる形状のブロックユニット同士の連結を補助するものである。【００２４】  異なる形状のブロックユニット５０とブロックユニット１０とが平面上で結合された場合、図１２で示すように連結補助ブロックを使用することができる。
【産業上の利用可能性】
【００２５】  本考案の組合せブロック玩具は、組合せ方向を工夫しながら利用すれば、任意の複雑な構造まで形成することができ、幼児の創造性の知育や遊びに提供して効果的であるので、玩具市場に提供する産業上の利用可能性も高いものである。
【符号の説明】
【００２６】１０  ブロックユニット
２０  ブロックユニット
３０  ブロックユニット
４０  ブロックユニット
５０  ブロックユニット
６０  連結補助ブロック
２  ブロック本体
３  突起挿入孔
４  突起
４１  角柱側面
４２  角柱側面
４３  角柱側面
４４  角柱側面
４５  角柱側面
４６  角柱側面
４７  角柱側面
４８  角柱側面
５  嵌着凹部
６  嵌着凹部
【図１】
0003153111.tif 000003
【図２】
0003153111.tif 000004
【図３】
0003153111.tif 000005
【図４】
0003153111.tif 000006
【図５】
0003153111.tif 000007
【図６】
0003153111.tif 000008
【図７】
0003153111.tif 000009
【図８】
0003153111.tif 000010
【図９】
0003153111.tif 000011
【図１０】
0003153111.tif 000012
【図１１】
0003153111.tif 000013
【図１２】
0003153111.tif 000014
【手続補正書】
【提出日】平成21年6月1日(2009.6.1)
【手続補正１】
【補正対象書類名】実用新案登録請求の範囲
【補正対象項目名】請求項１
【補正方法】変更
【補正の内容】
【請求項１】
突起挿入孔を有するブロック本体の周囲に多角柱体からなる複数の突起を一体的に形成した複数のブロックユニットが、突起を突起挿入孔に挿入して連接結合可能に構成されたことを特徴とする組合せブロック玩具。